(57)【特許請求の範囲】
【請求項１】
所定方向に回転駆動される感光体と、その感光体に当接して配置された少なくとも１本のブレードによって感光体上のトナー粉を除去するためのクリーニング装置とを有する画像形成装置であって、前記ブレードはポリウレタン製で潤滑剤を含有し、該潤滑剤はフルオロポリエーテル及びハイドロフルオロエーテルから選択されるフッ素系オイルのいずれかであり、かつ前記感光体は所定のタイミングで前記所定方向に対して逆方向に回転駆動することを特徴とする画像形成装置。
【請求項２】
前記フッ素系オイルは、バルク組成比で１．０〜２０重量％混入されていることを特徴とする請求項１に記載の画像形成装置。
【請求項３】
前記感光体の逆方向回転駆動は、画像形成の一動作終了時に行われることを特徴とする請求項１又は２に記載の画像形成装置。
【請求項４】
前記感光体の逆方向回転駆動は、画像形成の動作前に行われることを特徴とする請求項１又は２に記載の画像形成装置。
【請求項５】
前記感光体の逆方向に回転駆動する距離は、１ｍｍ以上であることを特徴とする請求項１〜４のいずれかに記載の画像形成装置。
【請求項６】
前記感光体の逆方向に回転駆動する距離は、１〜１０ｍｍであることを特徴とする請求項１〜５のいずれかに記載の画像形成装置。
【発明の詳細な説明】
【技術分野】
【０００１】
本発明は、複写機、プリンタ、ファクシミリ、又は、それらの複合機等電子写真プロセスを採用した画像形成装置であって、特に、像担持体に当接してクリーニングブレードが配置された画像形成装置に関するものである。
【背景技術】
【０００２】
画像形成プロセスを利用した画像形成装置では、帯電手段により帯電された像担持体（以下、感光体とも称す）上に、光書き込みや原稿像の露光等の潜像形成手段で静電潜像を形成し、該静電潜像を現像手段の現像剤で現像して可視像化した後、該可視像を転写手段により記録紙等の記録材に転写し、記録材に転写された可視像を定着手段で定着して画像を形成している。
【０００３】
このような電子写真式の画像形成装置では、一般に、像担持体（以下、感光体とも称す）上からトナー像を転写した後にその像担持体表面上に残留する不要なトナーをクリーニング装置によって除去する。このクリーニング装置としては、構成が簡単でかつクリーニング性能も優れていることから、クリーニングブレードにより掻き取るブレード方式のものが広く利用されている。ブレード方式は、構成が簡単でかつクリーニング性能も優れている。
【０００４】
クリーニング装置の構成には、クリーニングブレードを感光体の回転方向に対して、逆回転方向（カウンター）に圧接させるカウンター法、もしくは順回転方向（リーディング）に圧接させて行うリーディング法があるが、さらに必要に応じて、ポリエステル繊維やナイロン繊維等のクリーニングブラシが併用される。ブレードを感光体の回転方向に対してカウンター方向に設置すると、感光体に対する食い込みが増し、トナーのクリーニング性能を高めることができるため、今日の主流となっている。
【０００５】
クリーニングブレードは、像担持体表面を機械的に摺擦する力が強いため、画像流れ（画像ボケ）が発生しにくいが、像担持体表面の摩耗や傷の防止が大きな課題である。また、ブレードのエッジ部が繰り返しの使用によって摩耗や欠けなどの損傷が起きたり、像担持体との摩擦により異音の発生やブレードめくれが発生したりするなどの課題もある。
これらの不具合を防止するため、ブレード表面に潤滑剤を塗布する、あるいは供給する方法が広く用いられている。
【０００６】
例えば、滑剤などの付加手段をもうけることなくトナーの一定量をブレードに供給し、トナーが持つ潤滑剤を活用してブレードめくれやエッジ摩耗を防止する手法が提案されている（例えば、特許文献1、２参照）。しかしながら、この手法ではトナーがブレードの研磨剤として機能する場合があり、むしろブレードの摩耗を促進するという難点がある。
また、ブレードエッジ部に潤滑剤をあらかじめ塗布することで初期のブレードめくれを防止する手法が提案されている（例えば、特許文献３、４、５参照）。しかしながら、この方法は、初期は良好であるが、長期使用中に補給がおこなわれないと潤滑作用が途切れてしまうという難点がある。
また、ブレードエッジ部にあらかじめオイルを塗布し、かつ固体潤滑剤を像担持体に塗布する画像形成方法が提案されている（例えば、特許文献６参照）。また、潤滑剤を保持した部材によりブレードに潤滑剤を供給する手法が提案されている（例えば、特許文献7、8参照）。しかしながら、これらの方法は、経時でも良好だが、部材が多くなるため、コストと装置のコンパクト化に対し課題がある。
また、ブレードに潤滑層を設ける手法が多く提案されている（例えば、特許文献９、１０参照）。しかしながら、これら方法は、長期使用により潤滑層が剥離するなどによりブレード寿命が短くなる問題がある。また、潤滑剤粒子の種類や付着分散状態によっては、長期の使用により像担持体を傷つける場合がある。
【発明の開示】
【発明が解決しようとする課題】
【０００７】
本発明の課題は、充分なクリーニング性を確保し、部品点数を増やすことなく長期間の使用によっても当接する像担持体を傷つけることが無く、ブレードめくれやブレード異音を防止し、ブレードの延命が図れる画像形成装置を提供するものである。
【課題を解決するための手段】
【０００８】
上記のように、像担持体に当接するクリーニングブレードの表面と像担持体の表面の接触抵抗はきわめて大きく、像担持体回転時にブレード鳴き等の異音が発生し、さらにブレードめくれが発生する場合がある。この問題を解決するために、回転を良くする潤滑剤が必要となる。また、潤滑剤はブレードと像担持体の当接部分に常に少量ある状態が最適であり、多すぎると異常画像が発生する。
本発明者らは、種々検討を重ねた結果、クリーニングブレードに特定の液体潤滑剤を含ませ、潤滑剤を徐々にブレード表面に染み出させることにより、ブレードと像担持体の当接部分に常に潤滑剤が少量ある最適な状態が実現できると考えた。そして、このことは、クリーニングブレードが当接する像担持体が画像形成時の回転方向（正回転）とは逆方向に反転することにより、クリーニングブレードに含ませた潤滑剤が滲み出し、クリーニングブレードと像担持体の接触抵抗を下げることによりなされることを確かめた。本発明はこうした知見によりなされたものである。
【０００９】
しかして、本発明の課題は次に技術的手段によって達成される。
（１）所定方向に回転駆動される感光体と、その感光体に当接して配置された少なくとも１本のブレードによって感光体上のトナー粉を除去するためのクリーニング装置とを有する画像形成装置であって、前記ブレードはポリウレタン製で潤滑剤を含有し、該潤滑剤はフルオロポリエーテル及びハイドロフルオロエーテルから選択されるフッ素系オイルのいずれかであり、かつ前記感光体は所定のタイミングで前記所定方向に対して逆方向に回転駆動することを特徴とする。
（２）上記（１）に記載の画像形成装置において、前記フッ素系オイルは、バルク組成比で１．０〜２０重量％混入されていることを特徴とする。
（３）上記（１）又は（２）に記載の画像形成装置において、前記像担持体の逆方向回転駆動は、画像形成の一動作終了時に行われることを特徴とする。
（４）上記（１）又は（２）に記載の画像形成装置において、前記像担持体の逆方向回転駆動は、画像形成の動作前（電源投入時）に行われることを特徴とする。
（５）上記（１）〜（４）のいずれかに記載の画像形成装置において、前記像担持体の逆方向に回転駆動する距離は、１ｍｍ以上であることを特徴とする。
（６）上記（１）〜（５）のいずれかに記載の画像形成装置において、前記像担持体の逆方向に回転駆動する距離は、１〜１０ｍｍであることを特徴とする。
【発明の効果】
【００１０】
本発明によれば、所定のタイミングで像担持体を逆方向に駆動しているために、潤滑剤を含有したクリーニングブレードのエッジ部にトナーが多量に滞留した場合等であっても像担持体上に潤滑剤をムラなく安定的に供給して、クリーニングブレードや像担持体の劣化や、クリーニング不良やフィルミングの発生が確実に軽減される、画像形成装置を提供することができる。
【図面の簡単な説明】
【００１１】
【図１】本発明のクリーニング装置を備えた画像形成装置の一例である。
【図２】画像形成時に時計回り（矢印Ａ方向）に正回転する像担持体1が正回転している時の、カウンター方向に配置されたクリーニングブレード３０の形状を示した図である。
【図３】画像形成時に時計回りに正回転する像担持体1を矢印Ｂ方向へ反転させた時の、クリーニングブレード３０の形状を示した図である。
【発明を実施するための形態】
【００１２】
本発明の画像形成装置は、感光体と、その感光体に当接して配置されたブレードを有するクリーニング装置とを有するものであるが、より具体的には、少なくとも感光体、帯電装置、画像露光装置、現像装置、転写装置、定着装置、及びクリーニング装置を具備する画像形成装置において、感光体が画像形成時の回転方向（正回転）とは逆方向に反転できるものであり、また、クリーニング装置におけるブレードが潤滑剤を含有するものである。
【００１３】
クリーニングブレードを備えた画像形成装置としては、例えば図１に示すような構成を有する画像形成装置が知られている。この画像形成装置２０は、感光体１、帯電装置２、画像露光部３、現像装置４、転写装置５、クリーニング装置６、定着装置８等を備えている。感光体１は図示の方向に回転するようになされ、帯電装置２により感光体１の表面を一様にかつ均一に帯電するようになされており、画像露光部３からの像露光により感光体１上に静電像を形成するようになされている。
【００１４】
感光体１上の静電潜像は、現像装置４から供給される現像剤（トナー）により現像されて可視像を形成する。現像装置４は現像ロールとトナー層厚規制部材を備えており、貯蔵したトナーを感光体１に供給する。感光体１表面のトナー像は、転写装置５により所定の転写材上に転写され、定着装置８に送られるようになされている。
【００１５】
感光体１は、静電潜像及びトナー像を担持するための像担持体である。感光体１上のトナー像は、転写装置５により転写材に転写されるが、その一部が未転写のまま残留することがある。そのため、クリーニング装置６により、感光体１上の未転写トナーを除去する。
【００１６】
クリーニング装置６は、クリーニングブレード３０と、所定の支持部材とを備えており、感光体１の周囲に配置されている。本発明のクリーニングブレード３０は、作動時（画像形成時）には感光体１の回転方向（正回転）に対してカウンター方向で、感光体１の表面に接している。
そうして、画像形成装置で画像形成が行われると、クリーニングブレード３０の先端部が感光体１に対してカウンター方向に押し付けられて摺接し、感光体１表面に付着しているトナーを掻き取る。掻き取られたトナーは、図示されていないトナー回収コイルを通して外部に取り出される。
【００１７】
図２は、画像形成時に時計回りに正回転する感光体1が正回転している時のブレード３０の形状を模式的に示している。図中、矢印Ａは感光体1の回転方向（正回転）を示している。一般的に、感光体１の正回転時に、ブレード３０の感光体１と接する部分は、スティックスリップによりおよそ１０μｍ〜３０μｍの範囲で振幅することが確認されている。しかし、この振幅では伸縮量が小さくブレード３０に含ませた潤滑剤は充分には滲み出してこない。
【００１８】
図３は、画像形成時に時計回りに正回転する感光体1を矢印Ｂ方向へ反転（逆回転）させた時のブレード３０の先端の形状を模式的に示している。ブレード３０が図３に示す形状になった後は、再び感光体１が正回転することで図２の状態に（ブレード３０を感光体１の回転方向（正回転）に対してカウンター方向になるように）する。このように感光体１を正回転と逆回転を繰り返すことにより、ブレード３０全体を伸縮させ、ブレード３０全体の潤滑剤を効果的に滲み出させることができる。
【００１９】
感光体１の反転は、画像形成の一動作終了時に行われるのが好ましい。ここにいう一動作とは、連続した一連の作像動作であり、例えば５０枚連続してコピーをおこなった場合は、５０枚のコピーが終了した時点で感光体１が反転する。このような感光体１の反転を非作像時に行うことにより、作像の効率は低下しない。また、一動作終了時に毎回感光体１の反転が行われることにより、ブレード３０から定期的に潤滑剤が滲み出し、ブレード表面に供給されるようになる。
【００２０】
感光体１の反転は、前記反転が画像形成装置の電源投入時に行うようにしてもよい。このような感光体１の反転を非作像時に行うことにより、作像の効率は低下しない。また、画像形成の動作前（電源投入時）に感光体１の反転が行われることにより、ブレード３０から定期的に潤滑剤が滲み出し、ブレード３０表面に供給されるようになる。
【００２１】
感光体１の正逆回転は、駆動モーターを制御装置により正逆制御回転させることによって行われる。ここで、感光体１を矢印Ｂ方向へ反転（逆回転）させる距離は、感光体１を矢印Ｂ方向へ反転（逆回転）させることにより、ブレード３０が図２に示した形状から図３に示したように伸ばした形状となることのできる距離であり、通常は１ｍｍ以上であり、好ましくは１〜１０ｍｍである。1mm以上反転させることによりブレード３０は完全に伸びきることができるため、１０mmを超えて反転させる必要はない。なお、ここでいう“距離”とは、感光体１の円周上の任意の点Ｐが回転により点Ｑに移動する円周上の長さを意味している。
【００２２】
ブレード３０は、従来公知の組成、工法で作製できる。ブレード３０は弾性体に潤滑剤が含有されており、弾性体としてはポリウレタン、フッ素ゴム、シリコーンゴム、ブチルゴム、ブタジエンゴム、イソプレンゴム、ニトリルゴム、クロロプレンゴム、エチレンプロピレンゴム、アクリルゴム等の材料があげられる。この中でも特に、経時劣化が少なく耐摩耗性に強いポリウレタンが好ましい。
【００２３】
ポリウレタンは、高弾性の得られやすい熱硬化性ポリウレタンエラストマー（ウレタンゴム）を用いることができる。ポリウレタンエラストマーは、直鎖状のポリエステル、ポリエーテル、ポリエステルアミドをベースとし、ジイソシアネートと反応させてプレポリマーをつくり、鎖延長剤により高分子化し、熱または適当な架橋剤により硬化させるプレポリマー法、あるいはポリオール、ジイソシアネート、鎖延長剤、架橋剤を同時に混合して反応させ、エラストマーを得るワンショット法により製造される。
【００２４】
成形法としては、従来公知の混練法や注型法を用いて成形することができるが、設備費を安価に抑えられる注型法での成形が好ましい。
特に、末端にイソシアネート基をもつプレポリマーと、主鎖延長剤としてのポリオールまたはポリアミンを混合し、注型後加熱硬化させてポリウレタンエラストマーを得る製造成形方法は、現在最も採用されている方法の1つである。
【００２５】
ポリオール成分としては、例えばアルキレングリコールと脂肪族二塩基酸との縮合体であるポリエステルポリオール、エチレンアジペートエステルポリオール、ブチレンアジペートエステルポリオール、ヘキシレンアジペートエステルポリオール、エチレンプロピレンアジペートエステルポリオール、エチレンブチレンアジペートエステルポリオール、エチレンネオペンチレンアジペートエステルポリオールようなアルキレングリコールとアジピン酸とのポリエステルポリオール等のポリエステル系ポリオール、カプロラクトンを開環重合して得られるポリカプロラクトンエステルポリオール等のポリカプロラクトン系ポリオール、ポリオキシテトラメチレングリコール、ポリオキシプロピレングリコール等のポリエーテル系ポリオール等を用いることができる。 また、他に低分子量ポリオールとしては、例えば、１,４−ブタンジオール、エチレングリコール、ネオペンチルグリコール、ヒドロキノン−ビス-２−ヒドロキシエチルエーテル、３,３'−ジクロロ−４,４'−ジアミノジフエニルメタン、４,４'−ジアミノジフエニルメタン等の二価アルコールや、１,１,１−トリメチロールプロパン、グリセリン、１,２,６−ヘキサントリオール、１,２,４−ブタントリオール、トリメチロールエタン、１,１,１−トリスヒドロキシエトキシメチルプロパン、ジグリセリン、ペンタエリスリトール等の三価及びそれ以上の多価アルコール等をもちいることができるがこれに限定されない。
【００２６】
イソシアネート成分としては、1,5-ナフタレンジイソシアネート、2,4-トルエンジイソシアネート、2,6-トルエンジイソシアネート、ヘキサメチレンジイソシアネート、パラフェニレンジイソシアネート、2-クロロ1,4フェニルジイソシアネート、トリレンジイソシアネート、4,4-ジフェニルメタンジイソシアネート、ジアニシジンジイソシアネート、トリデンジイソシアネート、メタキシリレンジイソシアネート等を用いることができるがこれに限定されない。
【００２７】
鎖延長剤としては、活性水素基を含んだ鎖延長剤として普通二官能の、たとえば水、グリコール、ジアミン、アミノアルコールなどを用いることができるがこれに限定されない。
【００２８】
ブレード３０に含有させる潤滑剤としては、例えばオレフィン系ワックスやエステル系ワックスなどの合成ワックス、カルナバワックスやキャンデリラワックスなどの各種天然ワックス、ステアリン酸やパルミチン酸などの高級脂肪酸、スレアリン酸亜鉛、ステアリン酸マグネシウムなどの金属石鹸類、ラウリル酸アミド、オレイン酸アミド、パルミチン酸アミドなどの脂肪酸アミド、脂肪酸エステル、ポリテトラフルオロエチレン、ポリトリフルオロエチレン、ポリフッ化ビニリデンなどのフッ素元素含有樹脂粒子、シリコーン樹脂粒子、ジメチルシリコーンオイル、フェニルメチルシリコーンオイル、クロロフェニルシリコーンオイルなどのシリコーンオイルや、ハイドロフルオロエーテル、パーフルオロポリエーテルオイルなどのフッ素系オイルや、スクワランオイルなどの動物性オイルや、菜種油、紅花油、ゴマ油、椿油などの植物性オイルなどの液体潤滑剤、カーボン、二硫化モリブデン、金属酸化物などの無機潤滑剤が使用できるがこれに限定されない。
【００２９】
これら潤滑剤のうち、特にオイルなどの液体潤滑剤がよい。オイルは少ない量で効果を得られやすい。
さらにより好ましくは、非反応性のフッ素系オイルがよい。クリーニングブレード製造加工時および長期の使用において酸化などの変質が無く、滲み出しが安定で像担持体を物理的にも化学的にも傷つけない。ここで、非反応性とは、ブレード母体のポリウレタンの材料と反応する反応基を有さないことであり、イソシアネート基や水酸基やアミン基を有さない。代表的な非反応性のフッ素系オイルとして、フルオロポリエーテルやハイドロフルオロエーテルなどを例示することができる。
フルオロポリエーテルとしてはダイキン工業製のデムナム、ハイドロフルオロエーテルとしては住友３Ｍ製のノベックなどを例示することができる。
【００３０】
フッ素系オイルは、バルク組成比（ブレード全体（即ち、ポリウレタンとフッ素オイルとの合計）に占めるフッ素オイルの割合）で１．０〜２０重量％の範囲でブレード３０中に混入されているのが望ましい。この範囲であれば、ブレード強度が充分確保でき、フッ素系オイルは、バルク組成比で１．０〜２０重量％が長期にわたってブレード表面に滲み出し、ブレード表面と感光体表面の接触抵抗を下げるため、長期にわたって良好なクリーニング性を確保し、クリーニングブレードめくれや異音の発生を防止し、ブレードエッジ欠けを起さず、ブレードの延命が一層可能となる。
【００３１】
一方、ブレード３０中に混入されているフッ素系オイルがバルク組成比で１．０重量％未満であると、フッ素系オイルの滲みだし期間が短くなり、逆に、２０重量％をこえるとブレード強度が弱くなり、ブレードのエッジ欠けが発生する傾向がある。
【００３２】
ここで、ブレード３０の製造の一例としてプレポリマー法を適用した成型方法を以下に説明する。
まず、クリーニングブレード用成形型を準備し、支持部材となるホルダーを配置する。次に、ポリイソシアネートとポリエステルポリオールとを混合して予め部分的に重合したプレポリマーと、フッ素系オイル、ウレタン硬化用触媒及び鎖延長剤とを注型機に投入し、ミキシングチャンバー内で攪拌し液状混合物を得る。これを上記成形型内に注入し、反応硬化させ、次いで硬化物を脱型し、所定の寸法に切断することにより、ホルダー上にフッ素系オイルを含有したポリウレタンエラストマーからなる弾性ブレード部材が成形されたブレード３０を製造することができる。
【実施例】
【００３３】
つぎに、実施例を挙げて本発明をより具体的に説明する。
【００３４】
＜電子写真感光体の作製＞
導電性支持体として、外径３０ｍｍのアルミニウムシリンダー上に、下記組成の下引き層用塗工液、電荷発生層用塗工液、および電荷輸送層用塗工液を、浸漬塗布によって順次塗布、乾燥し、３．５μｍの下引き層、０．２μｍの電荷発生層、２２μｍの電荷輸送層を形成した。
【００３５】
［下引き層用塗工液の組成］ 
・アルキッド樹脂                                             ６質量部 
（ベッコゾール１３０７−６０−ＥＬ、大日本インキ化学工業社製） 
・メラミン樹脂                                               ４質量部 
（スーパーベッカミン Ｇ−８２１−６０、大日本インキ化学工業社製） 
・酸化チタン                                               ４０質量部
（ＣＲ−ＥＬ：石原産業社製） 
・メチルエチルケトン                                       ５０質量部 
【００３６】
［電荷発生層用塗工液の組成］ 
下記処方において、ビスアゾ顔料とメチルエチルケトンの固形分１０％溶液をジルコニアボールで１０日間ボールミル分散した。この顔料分散液を、残りの材料を混合溶解した溶液に加え、よく攪拌した後、１０００メッシュのステンレスメッシュでろ過し、塗工液を調製した。
・下記構造のビスアゾ顔料                               ２．５質量部
【００３７】
【化１】
0005494945.tif 000002
【００３８】
・ポリビニルブチラール（ＸＹＨＬ、ＵＣＣ社製）         ０．５質量部 
・シクロヘキサノン                                     ２００質量部 
・メチルエチルケトン                                     ８０質量部 
【００３９】
［電荷輸送層用塗工液の組成］ 
・ビスフェノールＺポリカーボネート                       １０質量部 
（パンライトＴＳ−２０５０、帝人化成社製） 
・下記構造式の低分子電荷輸送物質                           ７質量部
【００４０】
【化２】
0005494945.tif 000003
【００４１】
・テトラヒドロフラン                                     １００質量部 
・１％シリコーンオイルのテトラヒドロフラン溶液               １質量部 
（ＫＦ５０−１００ＣＳ、信越化学工業社製）
【００４２】
＜クリーニングブレードの作製＞
（クリーニングブレードＡ）
トルエンジイソシアネート／ポリエステルベースプレポリマー（日本ポリウレタン工業社製、コロネート４０４８）を乾燥窒素気中で８５℃に加熱溶解し、８５℃５ｍｍＨｇ減圧下で脱泡したもの１４８質量部に、ポリオールとしてフッ素オイル（ダイキン工業社製、デムナムＳ−６５）１３質量部を混合した８５℃のポリオール（日本ポリウレタン工業社製、ニッポラン４００９）  １１３質量部を加え、２０秒間攪拌後金型に注入し、１２０℃６０分間加熱後離型し、１２０℃１０時間硬化処理を行った。得られたシート状クリーニングブレードを短冊状に切り取り、クリーニングブレードＡを得た。
なお、フッ素オイルの添加量は、バルク組成比（ブレード全体に占めるフッ素オイルの割合）で５．０質量％である。
【００４３】
（クリーニングブレードＢ）
ポリオールとしてフッ素オイル（ダイキン工業社製、デムナムＳ−６５）１．３質量部を混合した８５℃のポリオール（日本ポリウレタン工業社製、ニッポラン４００９）  １０１．３質量部を用いた以外は、クリーニングブレードＡの作製と同様にしてクリーニングブレードＢを得た。
フッ素オイルの添加量は、バルク組成比で０．５２質量％である。
【００４４】
（クリーニングブレードＣ）
ポリオールとしてフッ素オイル（ダイキン工業社製、デムナムＳ−６５）８２質量部を混合した８５℃のポリオール（日本ポリウレタン工業社製、ニッポラン４００９）  １８２質量部を用いた以外は、クリーニングブレードＡの作製と同様にしてクリーニングブレードＣを得た。
フッ素オイルの添加量は、バルク組成比で２４．８質量％である。
【００４５】
（クリーニングブレードＤ）
ポリオールとしてフッ素オイル（ダイキン工業社製、デムナムＳ−６５）２．５１質量部を混合した８５℃のポリオール（日本ポリウレタン工業社製、ニッポラン４００９）  １０２．５１質量部を用いた以外は、クリーニングブレードＡの作製と同様にしてクリーニングブレードＤを得た。
フッ素オイルの添加量は、バルク組成比で１．０質量％である。
【００４６】
（クリーニングブレードＥ）
ポリオールとしてフッ素オイル（ダイキン工業社製、デムナムＳ−６５）６２質量部を混合した８５℃のポリオール（日本ポリウレタン工業社製、ニッポラン４００９）  １６２質量部を用いた以外は、クリーニングブレードＡの作製と同様にしてクリーニングブレードＥを得た。
フッ素オイルの添加量は、バルク組成比で２０．０質量％である。
【００４７】
（クリーニングブレードＦ）
フッ素オイルのかわりにアクリル変性シリコーン微粒子（日信化学工業社製、シャリーヌＲ１７０Ｓ）を用いた以外は、クリーニングブレードＡの作製と同様にしてクリーニングブレードＦを得た。
【００４８】
（クリーニングブレードＧ）
ポリオールとしてフッ素オイルを混合した８５℃のポリオールの替わりに、フッ素オイルを混合していない８５℃のポリオール（日本ポリウレタン工業社製、ニッポラン４００９）１００質量部を用いた以外は、クリーニングブレードＡの作製と同様にしてクリーニングブレーＧを得た。
【００４９】
〔実施例１〕
リコー社製ＩＰＳｉＯ  ｃｏｌｏｒ ７０００改造機をさらに一動作ごとに１ｍｍ逆回転する改造をおこない、感光体と、クリーニングブレードＡをセットし、一動作１００枚のコピー試験を繰り返して、トータル１０万枚の画像形成をおこない、クリーニング性と異常発生の有無について評価した。この画像形成においては、１０万枚試験でもクリーニング性に優れ、ブレード異音やブレード欠けやブレードめくれ等の異常は発生しなかった。評価結果をまとめて表１に示す。
なお、クリーニング性の評価は、スジ状画像が発生した場合は×、僅かに発生した場合は△、発生無しは○と評価した。また、クリーニングブレードめくれの発生や異音の発生などをその他の異常の発生有無として評価した。
【００５０】
〔実施例２〕
クリーニングブレードＡの代わりにクリーニングブレードＢをセットした以外は、実施例1と同様にして画像形成を行い、評価をおこなった。この画像形成においては、５万枚まではクリーニング性に優れ、ブレード異音やブレード欠けやブレードめくれ等の異常は発生しなかったが、１０万枚では僅かにスジ状画像が発生し、わずかにブレード異音が発生したが、実用には問題ないレベルであった。評価結果をまとめて表１に示す。
【００５１】
〔実施例３〕
クリーニングブレードＡの代わりにクリーニングブレードＣをセットした以外は、実施例1と同様にして画像形成を行い、評価をおこなった。この画像形成においては、５万枚まではクリーニング性に優れ、ブレード異音やブレード欠けやブレードめくれ等の異常は発生しなかったが、１０万枚では僅かにスジ状画像が発生し、わずかではあるがブレードの先端に欠けが確認された。しかし、実用には問題ないレベルであった。評価結果をまとめて表１に示す。
【００５２】
〔実施例４〕
クリーニングブレードＡの代わりにクリーニングブレードＤをセットした以外は、実施例1と同様にして画像形成を行い、評価をおこなった。この画像形成においては、１０万枚試験でもクリーニング性に優れ、ブレード異音やブレード欠けやブレードめくれ等の異常は発生しなかった。評価結果をまとめて表１に示す。
【００５３】
〔実施例５〕
クリーニングブレードＡの代わりにクリーニングブレードＥをセットした以外は、実施例1と同様にして画像形成を行い、評価をおこなった。この画像形成においては、１０万枚試験でもクリーニング性に優れ、ブレード異音やブレード欠けやブレードめくれ等の異常は発生しなかった。評価結果をまとめて表１に示す。
【００５４】
〔参考例６〕
クリーニングブレードＡの代わりにクリーニングブレードＦをセットした以外は、実施例1と同様にして画像形成を行い、評価をおこなった。この画像形成においては、５万枚まではクリーニング性に優れたがわずかにブレード異音が発生し、１０万枚では僅かにスジ状画像が発生したが、実用には問題ないレベルであった。ただし、この例は潤滑剤が固体微粉末のアクリル変性シリコーンであったため、オイルを用いた実施例１と比較して潤滑剤の効果が弱いことが認められた。評価結果をまとめて表１に示す。
【００５５】
〔実施例７〕
リコー社製ＩＰＳｉＯ  ｃｏｌｏｒ ７０００改造機をさらに電源投入時に１ｍｍ逆回転する改造をおこない、感光体と、クリーニングブレードＡをセットし、電源を投入し１００枚連続してコピー試験をおこなった後に電源を切り、再び電源を投入し１００枚連続してコピー試験をおこなうことを繰り返して、トータル１０万枚の画像形成をおこない、クリーニング性と異常発生の有無について評価した。この画像形成においては、１０万枚試験でもクリーニング性に優れ、ブレード異音やブレード欠けやブレードめくれ等の異常は発生しなかった。評価結果をまとめて表１に示す。
【００５６】
〔比較例１〕
感光体が逆回転する改造をおこなっていないリコー社製ＩＰＳｉＯ  ｃｏｌｏｒ ７０００改造機にクリーニングブレードＡをセットし、コピー試験を繰り返してトータル１０万枚の画像形成をおこない、クリーニング性と異常発生の有無について評価した。この画像形成においては、像担持体である感光体が反転しないため、スティックスリップによるクリーニングブレード先端１０μｍ〜３０μｍしか伸縮せず、クリーニングブレードに含有されたフッ素オイルがブレード表面に充分に滲み出してくることができなかったため、１万枚まではクリーニング性に優れ、ブレード異音やブレード欠けやブレードめくれ等の異常は発生しなかったが、５万枚ではスジ状画像が発生し、ブレード異音も発生していた。さらに１０万枚までにブレードめくれが発生した。評価結果をまとめて表１に示す。
【００５７】
〔比較例２〕
クリーニングブレードＡの代わりにクリーニングブレードＧをセットした以外は、比較例1と同様にして画像形成を行い、評価をおこなった。この画像形成においては、クリーニングブレードに潤滑剤が含まれていないため、クリーニングブレード表面と感光体表面の接触抵抗が高く、１万枚でスジ状画像が発生し、ブレード異音も発生していた。さらに５万枚までにブレードめくれが発生したため、それ以降の評価を中止した。評価結果をまとめて表１に示す。
【００５８】
〔比較例３〕
クリーニングブレードＡの代わりにクリーニングブレードＧをセットした以外は、実施例1と同様にして画像形成を行い、評価をおこなった。この画像形成においては、クリーニングブレードに潤滑剤が含まれていないため、逆回転してもクリーニングブレード表面と感光体表面の接触抵抗が下がらず、１万枚でスジ状画像が発生し、ブレード異音も発生していた。さらに５万枚までにブレードめくれが発生したため、それ以降の評価を中止した。評価結果をまとめて表１に示す。
【００５９】
【表１】
0005494945.tif 000004
【符号の説明】
【００６０】
１  感光体（像担持体）
２  帯電装置
３  画像露光部
４  現像装置
５  転写装置
６  クリーニング装置
８  定着装置
９  除電ランプ
１０  給紙トレイ
２０  画像形成装置
３０  クリーニングブレード
【先行技術文献】
【特許文献】
【００６１】
【特許文献１】特開２００２−７２７１３号公報
【特許文献２】特開２００６−１０６２３２号公報
【特許文献３】特開平３−２６９４７８号公報
【特許文献４】特開平５−１２７４４５号公報
【特許文献５】特開２０００−１３２０２０公報
【特許文献６】特許第３５０８９１４号公報
【特許文献７】特開平６−５９６０２号公報
【特許文献８】特開２０００−３３０４３８号公報
【特許文献９】特開２０００−２４４５１７号公報
【特許文献１０】特開２００４−１４４８１８号公報
【図１】
0005494945.tif 000005
【図２】
0005494945.tif 000006
【図３】
0005494945.tif 000007